(57)【要約】【課題】固定柱を、ぐらつきのない状態で簡単に立設できる座板の構造を得、簡単な組み付け作業によるコストの低減、座板の固定構造の信頼性向上を図る。【解決手段】樹脂材料からなり扉面１１ａに密接する裏板１３と、この裏板１３を覆う化粧板１５と、樹脂材料からなり裏板１３の扉密接面１７に立設されて扉１１に挿入される固定柱１９とを有する鍵座１００において、裏板１３に穿設され固定柱１９の挿入される固定用貫通穴と、固定用貫通穴と固定柱１９とに亘って設けられ固定用貫通穴に挿入した固定柱１９の抜けを規制するとともに相対回転を規制する脱落・回転規制手段４３とを設けた。脱落・回転規制手段４３は、裏板１３に凹設され固定用貫通穴を中央部に配置した矩形穴と、固定柱１９の基端に設けられ矩形穴に嵌る矩形状の鍔板４７と、矩形穴の長手方向両端にそれぞれ設けられ鍔板４７に係止する一対の弾性係止片４９とで構成することができる。【選択図】      図１
2009041192.tif 000002
【特許請求の範囲】
【請求項１】
被固定部材の取付面に密接する板部材と、該板部材の密接面に垂直に立設されて前記被固定部材を貫通する固定柱と、を具備する座板の構造であって、
前記板部材に穿設され前記固定柱が挿入される固定用貫通穴と、
前記密接面と反対側の表面における前記固定用貫通穴の外周縁と前記固定柱の基端とに亘って設けられ前記表面から先端を前記固定用貫通穴に挿入した前記固定柱の該挿入方向と該挿入方向と反対方向の抜けを規制し、かつ前記板部材と前記固定柱との相対回転を規制する脱落・回転規制手段と、
を具備することを特徴とする座板の構造。
【請求項２】
前記脱落・回転規制手段が、
前記表面に凹設され前記固定用貫通穴が長手方向の中央部に配置された矩形穴と、
前記固定柱の基端に設けられ該矩形穴に嵌る矩形状の鍔板と、
前記矩形穴の長手方向両端にそれぞれ設けられ前記固定柱の挿入方向と反対側に向かって突出し相互の突出先端対向面同士に、前記鍔板に係止する爪部が形成された一対の弾性係止片と、
を具備することを特徴とする請求項１記載の座板の構造。
【請求項３】
前記鍔板の厚みが、前記矩形穴の深さ以下であり、
かつ前記弾性係止片が、前記矩形穴の深さ内に納められていることを特徴とする請求項２記載の座板の構造。
【請求項４】
前記密接面には、前記固定用貫通穴と同一内径を有する補強筒が、前記固定用貫通穴と同軸に突設されていることを特徴とする請求項１，２，３のいずれか１つに記載の座板の構造。
【請求項５】
前記固定柱の外周には、前記固定用貫通穴及び前記補強筒の内面に変形して密接する軸線方向の凸条が形成されていることを特徴とする請求項４記載の座板の構造。
【発明の詳細な説明】
【技術分野】
【０００１】
本発明は、扉の表面などに取り付けられる鍵座を構成する座板の構造であって、扉などの被固定部材に密接する板部材に垂直に立設され、扉を貫通する固定柱の固定構造に関し、特に、板部材に固定柱を一体に設けるための立設構造に関する。
【背景技術】
【０００２】
扉木口からラッチボルトやデッドボルトを進退させる錠箱の内蔵された扉は、扉表裏にレバーや、ノブ等の操作部材が設けられる。これら操作部材は、角柱部を有する軸部が、錠箱に設けられた回転入力部材の角穴に相対回転不能に挿入され、その両端に取り付けられたレバーが扉表裏に露出される。表裏いずれか一方のレバーが回転操作されれば、軸部と嵌合した回転入力部材が回転し、この回転入力部材の回転が錠箱内のボルト進退機構に伝達されて、ラッチボルトが錠箱の端面、すなわち、扉木口から進退されるようになっている。
【０００３】
ところで、両端にレバーの設けられる軸部は、錠箱の回転入力部材のみならず、扉表裏に固定される座板部材である鍵座によっても回転自在に支持されるようになっている。この鍵座は、軸部の貫通する軸受け穴を有し、扉表裏を挟んで一対のものが固定される。鍵座は、例えば玄関扉に取り付けられるものでは、所謂エスカチオンと称され、屋外側にはシリンダ錠、室内側にはサムターンが設けられる。また、室内扉に取り付けられるものでは、単にレバーの軸部を支持するための軸受け穴のみを備えたものもある。
【０００４】
鍵座は、一般的に、扉面に密接する裏板と、この裏板を覆う意匠性を備えた化粧板と、裏板の扉密接面に垂直に立設されて扉に貫通される複数の固定柱とを有する。扉屋外面に取り付けられる一方の裏板には複数の固定柱、所謂スタッドナットが立設され、この固定柱を扉に挿入し、扉屋内面の他方の裏板から挿通した固定ビスを、固定柱の先端面に形成した雌ネジに螺合することで、扉を表裏から挟持して固定する。これにより、扉に固定された鍵座の一対の軸受け穴によって、操作部材の軸部が、高強度に回転自在に支持されるようになっている。
【発明の開示】
【発明が解決しようとする課題】
【０００５】
しかしながら、上記した従来の鍵座は、裏板が板金材からなり、この裏板に穿設した固定用貫通穴に、金属製の固定柱の基端を塑性変形によるカシメによって固定していたため、外れないまでも、ぐらつきやガタツキの生じやすい問題があった。そして、裏板と固定柱とにガタツキが存在すれば、扉表裏を挟んで固定する鍵座の取り付け強度が低下した。また、カシメ以外に、裏板に固定柱を溶接によって固定した場合には、製作工程が煩雑になり、固定作業に係るコストが増大するとともに、垂直度等の寸法精度が低下した。さらに、屋内扉に取り付けられる鍵座の場合には、さほど高い防犯性が必要なく、上記のような加工性、組立性の悪い金属材料を使用しなければならない必要性はなかった。
【０００６】
本発明は上記状況に鑑みてなされたもので、スタッドナットやスタッドボルトなどの固定柱を、ぐらつきのない状態で簡単に立設できる鍵座となる座板を提供し、もって、簡単な組み付け作業によるコストの低減、及び座板の固定構造の信頼性向上を図ることを目的とする。
【課題を解決するための手段】
【０００７】
次に、上記の課題を解決するための手段を、実施の形態に対応する図面を参照して説明する。
本発明の請求項１記載の座板の構造は、被固定部材１１の取付面１１ａに密接する板部材１３と、該板部材１３の密接面１７に垂直に立設されて前記被固定部材１１を貫通する固定柱１９と、を具備する座板１００の構造であって、
前記板部材１３に穿設され前記固定柱１９が挿入される固定用貫通穴３７と、
前記密接面１７と反対側の表面４１における前記固定用貫通穴３７の外周縁と前記固定柱１９の基端とに亘って設けられ前記表面４１から先端を前記固定用貫通穴３７に挿入した前記固定柱１９の該挿入方向と該挿入方向と反対方向の抜けを規制し、かつ前記板部材１３と前記固定柱１９との相対回転を規制する脱落・回転規制手段４３と、
を具備することを特徴とする。
【０００８】
この座板の構造では、固定柱１９を板部材１３の表面４１から固定用貫通穴３７に挿入することのみにより、脱落・回転規制手段４３を介し固定柱１９の基端が固定用貫通穴３７に固定され、軸線方向の移動及び軸線周りの回転が規制される。
また、板部材１３及び固定柱１９を樹脂材料にて構成することで、これら部品の製作が容易となり、また組付作業も容易なものとなり、被固定部材である扉１１への組付作業も容易なものとなる。
【０００９】
請求項２記載の座板の構造は、前記脱落・回転規制手段４３が、
前記表面４１に凹設され前記固定用貫通穴３７が長手方向の中央部に配置された矩形穴４５と、
前記固定柱１９の基端に設けられ該矩形穴４５に嵌る矩形状の鍔板４７と、
前記矩形穴４５の長手方向両端にそれぞれ設けられ前記固定柱１９の挿入方向と反対側に向かって突出し相互の突出先端対向面同士に、前記鍔板４７に係止する爪部５１が形成された一対の弾性係止片４９と、
を具備することを特徴とする。
【００１０】
この座板の構造では、固定柱１９が固定用貫通穴３７に挿入されると、鍔板４７が矩形穴４５に嵌るとともに、その鍔板４７が板部材１３に設けられた弾性係止片４９によって係止される。
【００１１】
請求項３記載の座板の構造は、前記鍔板４７の厚みが、前記矩形穴４５の深さ以下であり、
かつ前記弾性係止片４９が、前記矩形穴４５の深さ内に納められていることを特徴とする。
【００１２】
この座板の構造では、板部材１３の表面４１に、脱落・回転規制手段４３が突出せず、被固定部材１１からの座板１００の突出高さが低く抑えられる。
また、板部材１３に対する化粧板１５の固定構造において、化粧板１５が板部材１３に密接可能となる。
【００１３】
請求項４記載の座板の構造は、前記密接面１７には、前記固定用貫通穴３７と同一内径を有する補強筒５７が、前記固定用貫通穴３７と同軸に突設されていることを特徴とする。
【００１４】
この座板の構造では、板部材１３の密接面１７から突出する固定柱１９の基端側が、板部材１３と一体となった補強筒５７の内面に密着支持される。
【００１５】
請求項５記載の座板の構造は、前記固定柱１９の外周には、前記固定用貫通穴３７及び前記補強筒５７の内面に変形して密接する軸線方向の凸条５９が形成されたことを特徴とする。
【００１６】
この座板の構造では、寸法公差等によって生じた固定用貫通穴３７と固定柱１９との微小間隙に、固定柱１９の挿入に伴って凸条５９が変形して挟入状態となる。
そして、この凸条５９が、前記固定柱１９の円周方向に少なくとも３つ以上等間隔に形成される構成とすると、固定柱１９の中心と固定用貫通穴３７との中心を略同芯状態として組み付けられることとなる。
【発明の効果】
【００１７】
本発明に係る請求項１記載の座板の構造によれば、板部材に固定用貫通穴を穿設し、板部材表面の固定用貫通穴外周縁と固定柱基端とに、固定柱の抜けを規制し、かつ板部材と固定柱との相対回転を規制する脱落・回転規制手段を設けたので、固定柱を板部材の表面から固定用貫通穴に挿入することのみにより、脱落・回転規制手段を介し固定柱の基端が固定用貫通穴に固定され、軸線方向の移動及び軸線周りの回転が規制され、固定柱を板部材密接面からぐらつきのない状態で突出させ、簡単に立設することができる。
【００１８】
請求項２記載の座板の構造によれば、脱落・回転規制手段が、板部材表面に凹設され固定用貫通穴を中央部に配置した矩形穴と、固定柱の基端に設けられ矩形穴に嵌る矩形状の鍔板と、矩形穴の長手方向の両端にそれぞれ設けられ固定柱の挿入方向と反対側に突出して鍔板に係止する一対の弾性係止片とを備えたので、固定柱を固定用貫通穴に挿入し、鍔板が矩形穴に嵌ることで固定柱の回転が規制されるとともに挿入方向の抜けが規制され、その鍔板が弾性係止片によって係止されることで固定柱の挿入方向と反対方向への抜けを阻止することができる。
【００１９】
請求項３記載の座板の構造によれば、鍔板の厚みが、矩形穴の深さ以下であり、かつ弾性係止片が、矩形穴の深さ内に納められたので、板部材の表面に、脱落・回転規制手段が突出せず、被固定部材からの座板の突出高さを低く抑えることができる。
【００２０】
請求項４記載の座板の構造によれば、密接面に、固定用貫通穴と同一内径を有する補強筒を、固定用貫通穴と同軸に突設したので、板部材の密接面から突出する固定柱の基端側を、板部材と一体となった補強筒の内面に密着支持でき、固定柱のガタツキを一層生じ難くすることができる。
【００２１】
請求項５記載の座板の構造によれば、固定柱の外周に、固定用貫通穴及び補強筒の内面に変形して密接する凸条を形成したので、寸法公差等によって生じた固定用貫通穴と固定柱との微小間隙に、固定柱の挿入に伴って凸条を弾性変形させて挟入状態とし、固定柱のガタツキをより一層生じ難くすることができる。
【発明を実施するための最良の形態】
【００２２】
以下、本発明に係る座板の構造の好適な実施の形態を図面を参照して詳細に説明する。
図１は本発明に係る座板の構造の縦断面図、図２は図１の分解斜視図である。
座板としての鍵座１００は、樹脂材料からなり被固定部材である扉１１の取付面としての扉面１１ａに密接する板部材としての裏板１３と、この裏板１３を覆う意匠性を備えた化粧板１５と、樹脂材料からなり裏板１３の扉密接面１７に垂直に立設されて扉１１に挿入される複数の固定柱１９とを有する。これに加え、本実施の形態による鍵座１００は、さらに扉面１１ｂに密接する他方の裏板２１と、この裏板２１を覆う化粧板２２と、固定ビス２３とを有している。したがって、鍵座１００は、少なくとも裏板１３と、化粧板１５と、固定柱１９とを必須の構成部材として有している。裏板１３及び固定柱１９の樹脂材料としては、例えばポリアセタール、ナイロン等が好適に用いられる。
【００２３】
扉１１は、扉木口から不図示のラッチボルトやデッドボルトを進退させる錠箱２５を内蔵する。扉表裏面１１ａ，１１ｂにレバーや、ノブ等の操作部材が設けられ、これら操作部材は角柱部を有する軸部が、錠箱２５に設けられた不図示の回転入力部材の角穴に相対回転不能に挿入され、その両端に取り付けられたレバーが扉表裏面１１ａ，１１ｂに露出される。表裏いずれか一方のレバーが回転操作されれば、軸部と嵌合した回転入力部材が回転し、この回転入力部材の回転が錠箱２５内のボルト進退機構に伝達されて、ラッチボルトが錠箱１１の端面、すなわち、扉木口から進退されるようになっている。
【００２４】
両端にレバーの設けられる軸部は、錠箱２５の回転入力部材のみならず、扉表裏面１１ａ，１１ｂに固定される鍵座１００によっても回転自在に支持される。鍵座１００は、軸部の貫通する軸受け穴２７，２９を有する。なお、図中、３１はロック用摘みの取付け穴、３３はワッシャを示す。鍵座１００は、例えば居室やトイレ等の室内扉１１に好適に取り付けられる。この他、鍵座１００は、玄関扉に取り付けられる所謂エスカチオンであってもよい。この場合、鍵座１００には、軸受け穴２７，２９の他に、シリンダ錠、サムターン用取付け穴が設けられる。
【００２５】
鍵座１００は、扉面１１ａに取り付けられる一方の裏板１３に複数の固定柱１９が立設され、この固定柱１９を扉１１に挿入し、扉面１１ｂの他方の裏板２１から挿通した固定ビス２３を、固定柱１９の先端面に形成した雌ネジ３５に螺合することで、扉１１を表裏から挟持して固定される。これにより、扉１１に固定された鍵座１００の一対の軸受け穴２７，２９によって、操作部材の軸部が、高強度で回転自在に支持されるようになっている。
【００２６】
図３は図２に示した固定柱を立設した裏板の斜視図、図４は図３を扉密接面側から視た斜視図、図５は図３の分解斜視図、図６は図４の分解斜視図である。
裏板１３には複数（本実施の形態では３つ）の固定用貫通穴３７（図５参照）が穿設され、固定用貫通穴３７は固定柱１９を挿入する。裏板１３は、扉面１１ａに接する側の面が密接面１７（図４参照）となり、その反対側の面が表面４１となる。表面４１の固定用貫通穴３７の外周縁と固定柱１９の基端とには脱落・回転規制手段４３が設けられている。脱落・回転規制手段４３は、表面４１から先端を固定用貫通穴３７に挿入した固定柱１９の挿入方向と、挿入方向と反対方向の抜けを規制し、かつ裏板１３と固定柱１９との相対回転を規制する働きを有する。
【００２７】
脱落・回転規制手段４３は、矩形穴４５と、鍔板４７（図５参照）と、弾性係止片４９とを有する。矩形穴４５は、裏板１３の表面４１に凹設され、図５に示すように、固定用貫通穴３７を長手方向の中央部に配置する。鍔板４７は、固定柱１９の基端に設けられ、矩形状に形成されて矩形穴４５に嵌る。弾性係止片４９は、矩形穴４５の長手方向両端にそれぞれ設けられ、固定柱１９の挿入方向と反対側に向かって突出し、裏板１３と一体成形される。一対の弾性係止片４９の相互の突出先端対向面同士には爪部５１が形成され、爪部５１は鍔板４７の後面に係止する。一対の弾性係止片４９の双方の先端には内側に傾斜する傾斜面５３が形成され、傾斜面５３は鍔板４７の挿入に伴って一対の弾性係止片４９を開き、鍔板４７の挿入を容易にする。また、鍔板４７の中央部にはひけ防止用の凹部５５が設けられている。
【００２８】
本実施の形態において、鍔板４７の厚みは、矩形穴４５の深さ以下に設定されている。また、弾性係止片４９は、矩形穴４５の深さ内に納められている。つまり、裏板１３の表面４１に、脱落・回転規制手段４３が突出せず、扉１１からの鍵座１００の突出高さが低く抑えられるとともに、裏板１３に対する化粧板１５の固定構造において、化粧板１５が裏板１３に密接可能となる。これにより、化粧板１５をガタツキ難く裏板１３に取り付けることができる。
【００２９】
また、図４，図６に示すように、裏板１３の密接面１７には補強筒５７が固定用貫通穴３７と同軸に突設され、補強筒５７は固定用貫通穴３７と同一内径を有している。裏板１３の密接面１７から突出する固定柱１９は、裏板１３と一体となった補強筒５７の内面に基端側が密着支持される。これにより、固定柱１９のガタツキを一層生じ難くしている。
【００３０】
固定柱１９の外周には図５，図６に示す軸線方向の凸条５９が固定柱１９の円周方向に少なくとも３つ以上略等間隔に形成され、凸条５９は図４に示すように、固定用貫通穴３７及び補強筒５７の内面に変形して密接する。寸法公差等によって生じた固定用貫通穴３７と固定柱１９との微小間隙に、固定柱１９の挿入に伴って凸条５９が変形して挟入状態となる。これにより、固定柱１９のガタツキをより一層生じ難くしている。凸条５９が、樹脂材料により固定柱１９と一体成形されることで、固定柱１９の挿入に伴う凸条５９の変形が容易に可能となっている。また、凸条５９が等間隔であることで、固定柱１９の中心と固定用貫通穴３７の中心とを略同芯状に配置挿入となる。
【００３１】
上記の構成を有する鍵座１００の作用を説明する。
図７は固定用貫通穴に対する固定柱の固定過程を（ａ）（ｂ）（ｃ）で表した作業工程の説明図である。
鍵座１００では、図７（ａ）に示すように、裏板１３の表面４１側から固定柱１９が固定用貫通穴３７へ挿入されると、図７（ｂ）に示すように、凸条５９が固定用貫通穴３７、補強筒５７に順次変形されながら進入する。さらに固定柱１９が挿入されると、鍔板４７が弾性係止片４９の傾斜面５３を押圧し、一対の弾性係止片４９を押し拡げる。さらに固定柱１９が挿入されて鍔板４７が爪部５１を通過すると、鍔板４７が矩形穴４５に嵌るとともに、押し拡げられていた一対の弾性係止片４９が接近方向へ復元し、図７（ｃ）に示すように、鍔板４７の後面に爪部５１が係止する。
【００３２】
このように、鍔板４７が矩形穴４５に嵌ることで、固定柱１９の回転が規制されるとともに挿入方向の抜けが規制され、その鍔板４７が弾性係止片４９によって係止されることで固定柱１９の挿入方向と反対方向への抜けも阻止されることとなる。つまり、裏板１３の表面４１から固定用貫通穴３７に固定柱１９を挿入することのみにより、脱落・回転規制手段４３を介し固定柱１９の基端が固定用貫通穴３７に固定され、軸線方向の移動及び軸線周りの回転が一度に規制されることとなる。
【００３３】
したがって、本実施の形態による鍵座１００によれば、裏板１３及び固定柱１９を樹脂材料により形成し、裏板１３に固定用貫通穴３７を穿設し、裏板表面４１の固定用貫通穴外周縁と固定柱基端とに固定柱１９の抜けを規制しかつ裏板１３と固定柱１９との相対回転を規制する脱落・回転規制手段４３を設けたので、固定柱１９を裏板１３の表面４１から固定用貫通穴３７に挿入することのみにより、脱落・回転規制手段４３を介し固定柱１９の基端が固定用貫通穴３７に固定され、軸線方向の移動及び軸線周りの回転が規制され、固定柱１９を裏板密接面１７からぐらつきのない状態で突出させ、簡単に立設することができる。この結果、安価にして、ぐらつきやガタツキの生じない信頼性の高い鍵座１００を得ることができる。
【００３４】
図８は異なる形状の板部材である裏板が用いられた変形例の縦断面図である。
なお、上記の実施の形態では、裏板１３が同一厚の平板で形成される場合を例に説明したが、本発明に係る台座の構造である鍵座は、図８に示すように、裏板となる板部材１３Ａが、左右方向の中央部を上下に延在する稜線部６１とした蒲鉾形状で形成してもよく、また、板部材１３Ａの成形品として、表裏面が平滑な板状ではなく、リブ部分を両面に形成し、両面に複数の凹部を形成して、ひけ防止構造とされることとしてもよい。
【００３５】
また、上記の実施の形態では、固定柱１９が円柱形状である場合を例に説明したが、固定柱１９は角柱であってもよい。この場合、基端が徐々に太くなるテーパ状の角柱とすれば、鍔板４７を省略して、固定柱の抜けと回転とを同時に規制することができる。
【図面の簡単な説明】
【００３６】
【図１】本発明に係る座板の構造の縦断面図である。
【図２】図１の分解斜視図である。
【図３】図２に示した固定柱を立設した板部材の斜視図である。
【図４】図３を密接面側から視た斜視図である。
【図５】図３の分解斜視図である。
【図６】図４の分解斜視図である。
【図７】固定用貫通穴に対する固定柱の固定過程を（ａ）（ｂ）（ｃ）で表した作業工程の説明図である。
【図８】異なる形状の板部材が用いられた変形例の縦断面図である。
【符号の説明】
【００３７】
１１…被固定部材（扉）
１１ａ…取付面（扉面）
１３…板部材（裏板）
１７…密接面
１９…固定柱
３７…固定用貫通穴
４１…表面
４３…脱落・回転規制手段
４５…矩形穴
４７…鍔板
４９…弾性係止片
５１…爪部
５７…補強筒
５９…凸条
１００…座板（鍵座）
【図１】
2009041192.tif 000003
【図２】
2009041192.tif 000004
【図３】
2009041192.tif 000005
【図４】
2009041192.tif 000006
【図５】
2009041192.tif 000007
【図６】
2009041192.tif 000008
【図７】
2009041192.tif 000009
【図８】
2009041192.tif 000010